(57)【要約】【課題】簡素な構成でドア側およびドア反対側に検知エリアを確実に調整可能とする。【解決手段】スペーサ２０は、板状のスペーサ本体２２と、スペーサ本体２２から取り外し自在にスペーサ本体２２に取り付けられたシム３０と、スペーサ本体２２に形成されるとともにシム３０を取り付け可能に形成されたシム受け５０と、を備える。シム受け５０は、スペーサ本体２２の厚さ方向にスペーサ本体２２からシム３０が突出するようにシム３０を取り付け可能に形成される。シム受け５０は、スペーサ本体２２の厚さ方向に直交する方向における一側（上側）および他側（下側）に配置された上側シム受け５２および下側シム受け７２を備える。【選択図】図４
2013190225.tif 000002
【特許請求の範囲】
【請求項１】
センサ本体とセンサ被取付面との間に挟むためのスペーサであって、
板状のスペーサ本体と、
前記スペーサ本体から取り外し自在に前記スペーサ本体に取り付けられたシムと、
前記スペーサ本体に形成されるとともに前記シムを取り付け可能に形成されたシム受けと、
を備え、
前記シム受けは、前記スペーサ本体の厚さ方向に前記スペーサ本体から前記シムが突出するように前記シムを取り付け可能に形成され、
前記シム受けは、前記スペーサ本体の厚さ方向に直交する方向における一側および他側に配置された一側シム受けおよび他側シム受けを備える、自動ドアセンサ用スペーサ。
【請求項２】
前記シムは、
シム本体と、
前記シム本体に形成された凹部または凸部であるシム側凹凸部と、
を備え、
前記シム受けは、前記シム側凹凸部に係合可能に形成された凹部または凸部であるシム受け側凹凸部を備える、
請求項１に記載の自動ドアセンサ用スペーサ。
【請求項３】
前記シムは、前記シム本体に形成された傾斜面を備え、
前記シム側凹凸部は、
第１シム側凹凸部と、
前記第１シム側凹凸部とは異なる形状の第２シム側凹凸部と、
を備え、
前記シム受け側凹凸部は、
前記第１シム側凹凸部に係合可能に形成された第１シム受け側凹凸部と、
前記第２シム側凹凸部に係合可能に形成されるとともに、前記第１シム受け側凹凸部とは異なる形状の第２シム受け側凹凸部と、
を備える、請求項２に記載の自動ドアセンサ用スペーサ。
【請求項４】
前記スペーサ本体の厚さ方向から見たとき、前記一側シム受けの前記シム受け側凹凸部は、前記他側シム受けの前記シム受け側凹凸部の形状を１８０°回転させた形状と対応するように形成される、
請求項３に記載の自動ドアセンサ用スペーサ。
【請求項５】
前記スペーサ本体から突出するフードを備え、
前記フードが前記スペーサ本体に対して突出する向きは、スペーサ本体から、前記シム受けに取り付けられた前記シムへ向かう向きである、
請求項１〜４のいずれか１項に記載の自動ドアセンサ用スペーサ。
【請求項６】
前記スペーサ本体から取り外し自在に前記スペーサ本体に取り付けられたワッシャを備え、
前記ワッシャは、前記スペーサ本体と前記センサ本体とを固定する締結部材に対応するように形成される、
請求項１〜５のいずれか１項に記載の自動ドアセンサ用スペーサ。
【請求項７】
前記スペーサ本体に形成されるとともに前記スペーサ本体の厚さ方向に貫通する角度調整用ネジ孔を備える、
請求項１〜６のいずれか１項に記載の自動ドアセンサ用スペーサ。
【請求項８】
請求項１〜７のいずれか１項に記載のスペーサと、
前記スペーサに取り付けられた前記センサ本体と、
を備える自動ドアセンサ。
【発明の詳細な説明】
【技術分野】
【０００１】
本発明は、自動ドアセンサ、及び、そのスペーサに関する。
【背景技術】
【０００２】
従来より、自動ドア用のセンサ（自動ドアセンサ）の検知エリアを設定するため、スペーサが用いられる場合がある。スペーサは、センサ本体とセンサ被取付面との間に挟まれる。スペーサにより、センサ被取付面に対するセンサ本体の角度（センサ取付角度）が設定される。
【０００３】
非特許文献１には、センサ取付け角度を１種類にのみ設定可能な（センサ取り付け角度が固定の）のスペーサが開示されている。特許文献１には、センサ取付け角度を変えることができるスペーサが開示されている（特許文献１の図６ｂ）。
【先行技術文献】
【特許文献】
【０００４】
【特許文献１】特開２００６−２１４１９２号公報
【非特許文献】
【０００５】
【非特許文献１】"「OA-230V｜自動ドア関連製品｜オプテックス株式会社」"，［online］，［平成２４年３月１日検索］，インターネット＜ＵＲＬ：http://www.optex.co.jp/as/p_oa_230v/oa_230v.html＞
【発明の概要】
【発明が解決しようとする課題】
【０００６】
非特許文献１に記載のスペーサは、センサ取付け角度が固定である。よって、このスペーサでは、自動ドアセンサの検知エリアを、ドア側（ドアに近づく側）やドア反対側（ドアから離れる側）に調整することができない。そのため、自動ドアセンサの取付作業が煩雑となる問題があった。この問題の詳細は次の通りである。
【０００７】
（ア）センサ取付け角度を調整するために、シム等の部材を現場（自動ドアセンサの取付作業現場、工事現場など）で急遽製作しなければならない場合がある。
（イ）複数種類のセンサ取付け角度に対応できるように、複数種類のスペーサを用いると、スペーサの管理が煩雑になる。
（ウ）特に、工事現場などの暗い現場では、シム等の部材の製作作業や、スペーサの管理がより煩雑になる。
【０００８】
特許文献１の図６ｂ及び段落００４０に記載のスペーサは「第１スペーサの下方に設けられた回転軸に回転可能に取り付けられ且つ感知センサが取り付けられる第２スペーサとからなるスペーサ」である。このスペーサには次の問題がある。
【０００９】
（エ）第２スペーサの回転軸は、第１スペーサの「下方」に設けられている。よって、第１スペーサに感知センサを直接取り付けたときの検知エリアを基準としたとき、この基準よりもドア反対側に検知エリアを変える（ドアから遠ざける）ことができない。
（オ）このスペーサは、回転軸を中心に第２スペーサが回転するといった、複雑な構成を備えている。そのため、スペーサのコストが高くなる。
（カ）このスペーサでは、第２スペーサの回転角度を測りながら第２スペーサを回転させるなど、煩雑な作業が必要になる場合がある。
（キ）このスペーサでは、回転軸を中心に第２スペーサが回転するので、意図せずセンサ取付角度および検知エリアが変わるおそれがある。
【００１０】
そこで本発明は、簡素な構成でドア側およびドア反対側に検知エリアを確実に調整できる、自動ドアセンサ用スペーサ及び自動ドアセンサを提供することを目的とする。
【課題を解決するための手段】
【００１１】
本発明の自動ドアセンサ用スペーサは、センサ本体とセンサ被取付面との間に挟むためのスペーサであって、板状のスペーサ本体と、前記スペーサ本体から取り外し自在に前記スペーサ本体に取り付けられたシムと、前記スペーサ本体に形成されるとともに前記シムを取り付け可能に形成されたシム受けと、を備える。前記シム受けは、前記スペーサ本体の厚さ方向に前記スペーサ本体から前記シムが突出するように前記シムを取り付け可能に形成される。前記シム受けは、前記スペーサ本体の厚さ方向に直交する方向における一側および他側に配置された一側シム受けおよび他側シム受けを備える。
【発明の効果】
【００１２】
上記構成により、簡素な構成でドア側およびドア反対側に検知エリアを確実に調整できる。
【図面の簡単な説明】
【００１３】
【図１】自動ドア周辺を示す断面図である。
【図２】図１に示す自動ドアセンサを下側から見た斜視図である。
【図３】（ａ）〜（ｅ）：図２に示す自動ドアセンサを横から見た図である。
【図４】（ａ）：図３（ａ）に示す自動ドアセンサである。（ｂ）：図３（ｅ）に示す自動ドアセンサである。
【図５】図２に示す自動ドアセンサを裏側から見た斜視図である。
【図６】図２に示すスペーサを示す図である。
【図７】図６に示すスペーサの一部を拡大した斜視図である。
【図８】（ａ）：図７に示すシム３０を示す図である。（ｂ）：図８（ａ）に示すシムを横から見た図である。
【発明を実施するための形態】
【００１４】
図１〜図８を参照して、本発明の実施形態の自動ドアセンサ１について説明する。なお、図５は、図２のＶ矢視図である。図８（ｂ）は、図８（ａ）のVIIIb矢視図である。
【００１５】
自動ドアセンサ１は、図１に示すように、自動ドアＤ用のセンサである。自動ドアセンサ１は、通行者などの物体が検知エリアＡ内に進入したか否かを検知するセンサである。自動ドアセンサ１は、センサ被取付面Ｆに取り付けられる。センサ被取付面Ｆは、無目Ｆ１（自動ドアＤより上方かつ自動ドアＤの近傍の面で、水平方向に直交する面）に取り付けられている。
【００１６】
この自動ドアセンサ１は、図２に示すような形状をしており、自動ドアセンサ１の長手方向は、自動ドアＤ（図１参照）の開閉方向と平行に配置される。図３（ａ）〜（ｅ）に示すように、自動ドアセンサ１は、センサ被取付面Ｆに固定されるスペーサ２０（自動ドアセンサ用スペーサ）と、スペーサ２０を介してセンサ被取付面Ｆに固定されるセンサ本体１０と、を備える。
【００１７】
この自動ドアセンサ１は、図１に示すように、検知エリアＡをドア側Ａ１及びドア反対側Ａ２に調整できる。ドア側Ａ１とは、自動ドアＤに近づく側（向き）である。ドア反対側Ａ２とは、自動ドアＤから離れる側（向き）である。図３（ａ）〜（ｅ）に示すように、自動ドアセンサ１は、センサ取付角度θを調整できる。センサ取付角度θとは、センサ本体１０のスペーサ取付面１２（後述、図３（ｃ）参照）と、センサ被取付面Ｆとがなす角度である（以下、センサ取付角度θについては図３（ｃ）参照）。図１に示すように、検知エリアＡがドア側Ａ１に変化するような、センサ取付角度θの変化の向きを「マイナス側」とする。検知エリアＡがドア反対側Ａ２に変化するような、センサ取付角度θの変化の向きを「プラス側」とする（以下、「プラス側」及び「マイナス側」については図１参照）。
【００１８】
センサ本体１０は、図２に示すように、スペーサ２０に取り付けられる（固定される）。センサ本体１０の形状は、自動ドアセンサ１の形状とほぼ同様である。センサ本体１０自体は、検知エリアＡ（図１参照）が固定である。検知エリアＡが固定のセンサ本体１０は、センサ本体１０内の光学系の調整等により検知エリアＡを変化させるものに比べ、センサ本体１０を簡素にでき、小さくでき、コストを下げることができる。図４（ａ）に示すように、センサ本体１０を構成する面のうち、スペーサ２０が取り付けられる側の面をスペーサ取付面１２とする。センサ本体１０は、スペーサ取付面１２に形成されたスペーサ取付ブラケット１４を備える。
【００１９】
スペーサ取付ブラケット１４は、センサ本体１０にスペーサ２０を取り付ける（固定する）ための部材である。スペーサ取付ブラケット１４は、センサ本体１０の例えば上端付近に配置される。スペーサ取付ブラケット１４は、例えば、スペーサ取付面１２を構成する板状部１４ａと、板状部１４ａに形成された孔１４ｂとを備える。
【００２０】
孔１４ｂは、センサ本体１０とスペーサ２０とを固定するネジＢ１（締結部材）を通すための孔である。孔１４ｂは、センサ本体１０にスペーサ２０を取り付けたときに、後述するネジ孔５４（図７参照）に対応する位置に配置される。
【００２１】
スペーサ２０（自動ドアセンサ用スペーサ）は、図３（ｃ）に示すように、センサ本体１０とセンサ被取付面Ｆとの間に挟む（介在させる）ものである。スペーサ２０は、センサ本体１０及びセンサ被取付面Ｆに固定される。図３（ａ）〜（ｅ）に示すように、スペーサ２０は、センサ取付角度θを調整して、検知エリアＡ（図１参照）の位置を調整するための、いわば角度調整スペーサである。図５に示すように、スペーサ２０は、板状である。厚さ方向から見たときのスペーサ２０の形状は、センサ本体１０の形状に応じた形状であり、例えば、略長方形状、略楕円形などである。スペーサ２０は、樹脂で形成される。この樹脂は例えばＡＢＳ樹脂など（ＡＢＳ：acrylonitrile butadiene styrene copolymer）である。図６に示すように、スペーサ２０は、板状のスペーサ本体２２と、スペーサ本体２２にそれぞれ形成された取付孔２４、配線孔２６、及びシム等配置孔２８と、を備える。さらにスペーサ２０は、スペーサ本体２２に連結部２９（図７参照）を介して取り付けられたシム３０と、スペーサ本体２２に形成されたシム受け５０と、を備える。さらにスペーサ２０は、スペーサ本体２２にそれぞれ形成されたフード９２及び角度調整用ネジ孔９６と、スペーサ本体２２に取り付けられたワッシャ９４と、を備える。
【００２２】
このスペーサ２０は、一体成形される。すなわち、スペーサ２０を構成する各構成要素は一体的に形成される。具体的には例えば、スペーサ本体２２とシム３０とは一体的に形成される。
【００２３】
このスペーサ２０は、図３（ｃ）に示すように、スペーサ２０厚さ方向がセンサ被取付面Ｆに直交するように配置される。スペーサ２０は、スペーサ２０厚さ方向に直行する方向における一側が上側、他側が下側となるように配置される。具体的には（以下具体例ａ）、図６に示すように、スペーサ２０は、スペーサ２０厚さ方向から見たときの長手方向が横方向、短手方向（長手方向に直交する方向）が上下方向となるように配置される（以上具体例ａ）。以下では、この具体例ａのようにスペーサ２０が配置されたとして説明する（具体例ａのようにスペーサ２０を配置する必要はない）。
【００２４】
スペーサ本体２２は、板状である。スペーサ本体２２は、全体として板状であれば良く、凹凸、傾斜、孔などがあっても良い。図４（ａ）に示すように、スペーサ本体２２は、横方向から見たとき、厚さが徐々に変わる。具体的には、スペーサ本体２２の厚さは、上から下に向かって増加する。この場合は、この厚さの増加が無い場合に比べ、センサ取付角度θがプラス側に調整される。スペーサ本体２２の厚さが上から下に向かって減少する場合は、センサ取付角度θがマイナス側に調整される。なお、スペーサ本体２２を構成する面のうち、センサ本体１０が取り付けられる側の面（表側の面、図６に図示した面）を、センサ取付面２２ｆとする。スペーサ本体２２を構成する面のうち、センサ被取付面Ｆに固定される面（裏側の面、図５に図示した面）を、裏面２２ｂとする。
【００２５】
取付孔２４は、図６に示すように、スペーサ２０を（スペーサ本体２２を）センサ被取付面Ｆ（図１参照）に固定するネジ（図示なし）を通すための孔である。取付孔２４は、既設の自動ドアセンサ（図示なし）から自動ドアセンサ１（図１参照）に交換する場合に、既設の自動ドアセンサを取り付けるためにセンサ被取付面Ｆ（図１参照）に設けられていたビス孔（図示なし）に対応できるように設けられる。具体的には例えば、取付孔２４は、長孔付の孔等である。また例えば、取付孔２４は、スペーサ本体２２に複数（例えば８か所）形成される。
【００２６】
配線孔２６は、センサ本体１０（図２参照）に接続される電線（図示なし）を通すための孔である。配線孔２６は、スペーサ本体２２に、例えば複数（例えば２か所）形成される。
【００２７】
シム等配置孔２８は、シム３０、ワッシャ９４、及び連結部２９・９５（図７参照）が内側に配置される孔である。
連結部２９は、スペーサ本体２２とシム３０（シム本体３２）とを連結する部分である（詳細は後述）。
【００２８】
シム３０は、図３（ａ）（ｂ）（ｄ）及び（ｅ）に示すように、スペーサ２０に対するセンサ本体１０の角度を調整するための部材である。図４（ａ）に示すように、シム３０は、スペーサ本体２２とセンサ本体１０との間に挟むための部材である。図７に示すように、シム３０は、例えば、長方形板状や、直方体状（ブロック状）等である。シム３０は、円板状や、円柱状などでも良い。
【００２９】
このシム３０は、複数種類設けられる（１種類でも良い）。複数種類のシム３０は、厚さが互いに異なる。複数種類のシム３０により、センサ取付角度θを複数の角度に調整（微調整）できる。シム３０の種類は、例えば５種類である。シム３０によるセンサ取付角度θの調整角度の間隔は、例えば１°である。具体的には、シム３０には、±１°用、±２°用、±３°用、±４°用、及び±５°用の５種類がある。なお、シム３０の種類を判別可能な標識（シム判別標識）を設けることが好ましい。シム判別標識の位置は、例えば、シム３０の近傍のスペーサ本体２２の表面、また例えば、シム３０の表面などである。シム判別標識は、具体的には例えば、調整角度を表す数字（図７のシム３０の上方や右の１〜５の数字を参照）、また例えば、調整角度に対応する数の点（図７のシム３０の表面の２〜５個の点を参照）などである。特に、シム判別標識をシム３０の表面に設けた場合、シム３０をスペーサ本体２２から取り外した後でもシム３０の種類を判別できるようになる。
【００３０】
この各種類ごとのシム３０の数は、図６に示すように、上下一組のシム受け５０（１つの上側シム受け５２と、１つの下側シム受け７２とで一組）の数と同じ数である。具体的には、上下一組のシム受け５０の数が２（右側に１、左側に１）の場合、各種類ごとのシム３０の数も２である。この場合、複数種類のシム３０の合計数は、２×５種類＝１０である。
【００３１】
このシム３０（スペーサ本体２２から取り外していない状態のシム３０）は、シム等配置孔２８の内側に配置される。複数のシム３０は、例えば、横方向や上下方向に配列（並んで配置）される。複数のシム３０は、例えば、横方向に対称に配置される。具体的には、複数のシム３０は、横方向両外側から内側へ順に、±１°用、±２°用、±３°用、±４°用のものが配置され、±４°用の下方に±５°用のものが配置される。
【００３２】
このシム３０は、図７に示すように、スペーサ本体２２から取り外し自在に、スペーサ本体２２に取り付けられる。シム３０が「取り外し自在」とは、スペーサ本体２２とシム３０（シム本体３２）との連結部２９による連結が、容易に切り離し可能であることを意味する。具体的には、連結部２９は、シム３０やシム等配置孔２８の寸法に比べ、十分細い。連結部２９での連結は、例えば、ニッパー等の切断用工具で容易に切り離せる。また例えば、連結部２９での連結は、スペーサ本体２２に対してシム３０を回転させることで容易に切り離せる。
【００３３】
このシム３０は、図８（ａ）及び（ｂ）に示すように、シム本体３２と、シム本体３２にそれぞれ形成された孔３４および傾斜面３６（図８（ｂ）参照）と、傾斜面３６とは反対側に配置されたシム受け取付面３８と、シム受け取付面３８に形成されたシム側凹凸部４０と、を備える。
【００３４】
シム本体３２は、長方形板状、直方体状（ブロック状）などの部分である。
【００３５】
孔３４は、図３（ｄ）及び（ｅ）に示すように、スペーサ２０とセンサ本体１０とを固定するネジＢ１を通せるように形成される。図８（ａ）及び（ｂ）に示すように、孔３４は、シム本体３２の中央に形成される。図８（ｂ）に示すように、孔３４は、傾斜面３６とシム受け取付面３８とを貫通する。
【００３６】
傾斜面３６は、図４（ａ）に示すように、スペーサ２０にセンサ本体１０を取り付けたときに、センサ本体１０のスペーサ取付面１２が接する面である。図８（ｂ）に示すように、傾斜面３６は、シム受け取付面３８に対して傾斜する。すなわち、図４（ａ）に示すように、傾斜面３６は、シム３０をシム受け５０に取り付けたときに、スペーサ本体２２のセンサ取付面２２ｆに対して傾斜する。図７に示すように、傾斜面３６全体は平面でなくても良く、傾斜面３６に凹みがあっても良い。
【００３７】
シム受け取付面３８は、図３（ａ）（ｂ）（ｄ）及び（ｅ）に示すように、シム３０をシム受け５０（図７参照）に取り付けたときに、シム受け５０に接する（取り付けられる）面である。シム受け取付面３８は、シム３０をシム受け５０に取り付けた状態における、シム３０のいわば底面である。
【００３８】
シム側凹凸部４０は、図７に示すように、シム受け５０に対するシム３０の位置決め用の凹凸である。シム側凹凸部４０は、シム受け５０に対するシム３０の固定用の凹凸であることが好ましい（詳細は後述）。シム側凹凸部４０は、シム本体３２に形成された凹部または凸部である。シム側凹凸部４０は、凹部および凸部の両方を備えても良く、凹部および凸部のうちいずれか一方のみ備えても良い。凹部とは、シム受け取付面３８に対して凹んで形成された部分である。凸部とは、シム受け取付面３８に対して突出して形成された部分である。具体的には例えば、シム側凹凸部４０は、それぞれ凸部である、環状リブ４２、大突起４４、及び、小突起４６を備える。
【００３９】
環状リブ４２は、シム受け５０の円柱部６２・８２（後述）の外周に嵌まるように形成される。図８（ａ）に示すように、環状リブ４２は、シム受け取付面３８に直交する方向から見て環状である。この環状は、完全な円環状でなくても良く、例えば、一部途切れた円環状などでも良い。
【００４０】
大突起４４（第１シム側凹凸部）は、例えば直方体状の突起である（詳細は後述）。
【００４１】
小突起４６（第２シム側凹凸部）は、大突起４４とは異なる形状である。大突起４４と小突起４６とで形状が異なる構成は、図７に示すシム受け５０へのシム３０の取り付けの向きを、作業者（図１に示す自動ドアセンサ１をセンサ被取付面Ｆに取り付ける作業者）が間違えることを防ぐための構成である。「異なる形状」には、例えば、図８（ａ）に示す大突起４４と小突起４６のように、寸法が異なるものが含まれる。また例えば、「異なる形状」には、形状の種類が異なるものが含まれる。形状の種類が異なるとは、例えば、一方が凹、他方が凸、また例えば、一方が直方体、他方が円柱、などである。
【００４２】
これらの大突起４４および小突起４６は、例えば、シム受け取付面３８の両端部に配置される。具体的には、シム受け取付面３８の一端部（図８（ａ）における左端部）に大突起４４、他端部（同図における右端部）に小突起４６が配置される。大突起４４および小突起４６は、シム受け取付面３８に直交する方向から見て、例えば、環状リブ４２にほぼ沿うように配置される。図８（ｂ）に示すように、大突起４４および小突起４６は、シム受け取付面３８に対して、環状リブ４２よりも大きく突出する。小突起４６は、例えば、直方体などである。
【００４３】
シム受け５０は、図７に示すように、スペーサ本体２２に形成されるとともに、シム３０（スペーサ本体２２から取り外したシム３０）を取り付け可能に形成される。シム受け５０は、シム受け５０に取り付けたシム３０によりセンサ取付角度θを調整できるように形成される。具体的には、シム受け５０は、スペーサ本体２２の厚さ方向にスペーサ本体２２（のセンサ取付面２２ｆ）からシム３０が突出するように、シム３０を取り付け可能に形成される。なお、図７では、スペーサ本体２２からシム３０が取り外されていない状態と、取り外された状態との両方を図示している。
【００４４】
このシム受け５０は、スペーサ本体２２の上側（スペーサ本体２２の厚さ方向に直交する方向における一側）に配置される上側シム受け５２と、同下側（他側）に配置される下側シム受け７２と、を備える。ここで、１つの上側シム受け５２と、１つの下側シム受け７２と、を「上下一組のシム受け５０」とする。図６に示すように、上下一組のシム受け５０は、スペーサ本体２２に複数設けられる。上下一組のシム受け５０は、例えば２か所、具体的には例えばスペーサ本体２２の左右両側に設けられる（この場合、上側シム受け５２及び下側シム受け７２は合計４か所設けられる）。
【００４５】
上側シム受け５２（一側シム受け）は、図３（ｄ）及び（ｅ）に示すように、センサ取付角度θをマイナス側に調整する、すなわち、検知エリアＡ（図１参照）をドア側Ａ１（図１参照）に調整するためのシム受け５０である。図７に示すように、上側シム受け５２は、スペーサ本体２２の上側（上下方向における中央よりも上側）に配置され、例えば、スペーサ本体２２の上端部付近に配置される。上側シム受け５２は、ネジ孔５４と、シム受け側凹凸部６０と、を備える。
【００４６】
ネジ孔５４は、図４（ａ）に示すように、スペーサ２０とセンサ本体１０とを固定するネジＢ１に対応する。図７に示すように、ネジ孔５４は、タップ（雌ねじ切り）によりネジ切りがされた孔である。ネジ孔５４は、後述する円柱部６２の中央に形成される。ネジ孔５４は、スペーサ本体２２厚さ方向に円柱部６２を貫通する。
【００４７】
シム受け側凹凸部６０は、シム３０の位置決め用の凹凸である。シム受け側凹凸部６０は、シム側凹凸部４０に係合可能に形成された凹部または凸部である。シム受け側凹凸部６０は、凹部および凸部の両方を備えても良く、凹部および凸部のうちいずれか一方のみ備えても良い。シム受け側凹凸部６０は、シム受け５０に対するシム３０の固定用の凹凸でもあることが好ましい（詳細は後述）。シム受け側凹凸部６０は、例えば、円柱部６２と、円柱部６２の外側（左右、横方向両側）に設けられた大穴６４及び小穴６６と、を備える。
【００４８】
円柱部６２は、スペーサ本体２２厚さ方向を軸方向とする円柱状である。円柱部６２は、例えば、スペーサ本体２２のセンサ取付面２２ｆから突出する。円柱部６２の先端面（円柱の軸方向端部の面）は、上側シム受け５２にシム３０を取り付けたとき、シム３０のシム受け取付面３８と接触する。円柱部６２（柱状部）の形状は、シム３０の環状リブ４２（リブ）に対応する。円柱部６２の外周は、シム３０の環状リブ４２の内周と係合可能である。
【００４９】
大穴６４（第１シム受け側凹凸部）は、シム３０の大突起４４に係合可能（挿入可能）に形成される。
【００５０】
小穴６６（第２シム受け側凹凸部）は、シム３０の小突起４６に係合可能に（挿入可能）形成される。小穴６６は、大穴６４とは異なる形状である。大穴６４と小穴６６とで形状が異なる構成は、大突起４４および小突起４６と同様、シム受け５０へのシム３０の取り付けの向きを作業者が間違えることを防ぐための構成である。小穴６６は、大突起４４と係合不可能（挿入不可能）に形成される。大穴６４および小穴６６は、例えば、スペーサ本体２２のセンサ取付面２２ｆから突出する板状部材（リブ）に囲まれた部分である。
【００５１】
下側シム受け７２（他側シム受け）は、図３（ａ）及び（ｂ）に示すように、センサ取付角度θをプラス側に調整する、すなわち、検知エリアＡ（図１参照）をドア反対側Ａ２（図１参照）に調整するためのシム受け５０である。図７に示すように、下側シム受け７２は、スペーサ本体２２の下側（上下方向における中央よりも下側）に配置され、例えば、スペーサ本体２２の下端部付近に配置される。下側シム受け７２は、孔７４と、シム受け側凹凸部８０と、を備える。
【００５２】
孔７４は、円柱部８２（後述）の中央に形成される。孔７４は、ネジ孔ではない貫通孔である（ネジ孔でも良い）。
【００５３】
シム受け側凹凸部８０は、シム３０の位置決め用の凹凸であり、好ましくはシム３０の固定用である（詳細は後述）。シム受け側凹凸部８０は、シム側凹凸部４０に係合可能に形成された凹部または凸部である。シム受け側凹凸部８０の基本的な構成は、上側のシム受け側凹凸部６０と同じである。以下では、上側のシム受け側凹凸部６０と下側のシム受け側凹凸部８０との相違点を主に説明する。シム受け側凹凸部８０は、例えば、円柱部８２と、円柱部８２の外周に設けられた環状溝８３と、円柱部８２の外側（左右、横方向両側）に設けられた大穴８４および小穴８６と、を備える。
【００５４】
この下側のシム受け側凹凸部８０は、上側のシム受け側凹凸部６０と対称に設けられる。さらに詳しくは、スペーサ本体２２厚さ方向から見たとき、上側のシム受け側凹凸部６０は、下側のシム受け側凹凸部８０の形状を１８０°回転させた形状と対応するように形成される。すなわち、上側シム受け５２に係合するシム３０を１８０°回転させれば、このシム３０が下側シム受け７２に係合可能となる（係合αとする）。このような係合αが可能である限り、上側のシム受け側凹凸部６０の形状と下側のシム受け側凹凸部８０の形状とは、同一（スペーサ本体２２厚さ方向から見て点対称）である必要はない。
【００５５】
このシム受け側凹凸部８０の形状は、具体的には例えば次の通りである。下側の円柱部８２は上側の円柱部６２と同じ径であり、下側の小穴８６は上側の小穴６６と同じ寸法であり、下側の大穴８４は上側の大穴６４と同じ寸法である。上側のシム受け側凹凸部６０では円柱部６２の左（図７における左）に大穴６４、右（図７における右）に小穴６６が配置されたが、下側のシム受け側凹凸部８０では円柱部８２の左に小穴８６、右に大穴８４が配置される。下側のシム受け側凹凸部８０は、上側のシム受け側凹凸部６０には無い環状溝８３を備える。スペーサ本体２２のセンサ取付面２２ｆに対し、上側のシム受け側凹凸部６０は突出するが、下側のシム受け側凹凸部８０は凹む。なお、環状溝８３の有無の相違、又は、センサ取付面２２ｆに対して突出するか凹んでいるかの相違があることにより上記係合αが不可能になることはない。
【００５６】
環状溝８３は、シム３０の環状リブ４２が入り込むことが可能な溝である。
【００５７】
大穴８４（第１シム受け側凹凸部）及び小穴８６（第２シム受け側凹凸部）は、環状溝８３にほぼ沿うように形成される。大穴８４及び小穴８６は、環状溝８３よりも深く凹んだ形状である。
【００５８】
フード９２は、図４（ａ）に示すように、スペーサ本体２２とセンサ本体１０との隙間Ｓを塞ぎ、この隙間Ｓを通行者から見えにくくするための、例えば板状部材である。フード９２は、スペーサ本体２２から突出する。フード９２がスペーサ本体２２に対して突出する向きは、スペーサ本体２２から、シム受け５０に取り付けられたシム３０へ向かう向きである。具体的には、図６及び図２に示すように、フード９２は、スペーサ本体２２の下端部の周縁部に配置される。フード９２の上記「突出する向き」は、図１に示すドア反対側Ａ２の向きである。なお、図４（ａ）に示すフード９２のスペーサ本体２２からの突出量が大きすぎると、センサ取付角度θによっては（たとえばプラス側に調整しない場合）、センサ本体１０の検出光の入出力部分がフード９２で隠されてしまう。そのため、フード９２のスペーサ本体２２からの突出量は、センサ本体１０の検出光の入出力部分がフード９２で隠されない程度とする。なお、フード９２は無くても良い。
【００５９】
ワッシャ９４は、図４（ａ）に示すように、スペーサ本体２２の裏面２２ｂからセンサ被取付面Ｆ（図１）側へネジＢ１が突出しないようにする（いわば、かさ上げする）ための部材である。ワッシャ９４は、スペーサ本体２２とセンサ本体１０とを固定するネジＢ１に対応するように形成される。具体的には、ワッシャ９４は、ネジＢ１が通る径の孔を備える。
【００６０】
このワッシャ９４は、図７に示すように、スペーサ本体２２から取り外し自在にスペーサ本体２２に取り付けられる。ワッシャ９４が「取り外し自在」とは、スペーサ本体２２とワッシャ９４との連結部９５による連結が容易に切り離し可能であることを意味する。ワッシャ９４に対する連結部９５の機能は、シム３０に対する連結部２９の機能と同様である。
【００６１】
このワッシャ９４は、シム等配置孔２８の内側に、複数配置される。ワッシャ９４は、厚さが複数種類（例えば３種類）である。図６に示すように、各種類１つずつ（例えば合計３つ）のワッシャ９４を一組のワッシャ９４とする。一組のワッシャ９４は、上側シム受け５２の数と同じ数（例えば２）設けられる（ワッシャ９４の合計数は例えば、２×３種類＝６である）。複数のワッシャ９４は、例えばスペーサ２０横方向に対称（左右対称）に配列される。図７に示すように、複数のワッシャ９４は、例えば、スペーサ２０横方向の外側から内側に向かって厚さが厚くなるように配列される。
【００６２】
角度調整用ネジ孔９６（図６参照）は、図４（ａ）に示す角度調整用ネジＢ２を取り付けるネジ孔である。角度調整用ネジＢ２は、スペーサ本体２２からセンサ被取付面Ｆ（図１参照）にネジ先端部を突出させることで、センサ被取付面Ｆに対するセンサ本体１０の角度を調整するためのネジである。角度調整用ネジＢ２は、例えばビス（先の尖っていない小ネジ）である。図６に示すように、角度調整用ネジ孔９６は、スペーサ本体２２に形成されるとともに、スペーサ本体２２厚さ方向に貫通する。角度調整用ネジ孔９６は、スペーサ本体２２に例えば１つ設けられる（２以上設けても良い）。角度調整用ネジ孔９６は、例えばスペーサ本体２２の下側（横方向中央よりも下）、例えばスペーサ本体２２の下端部付近に配置される。この場合、角度調整用ネジ孔９６に角度調整用ネジＢ２を取り付けることで、センサ取付角度θをプラス側に調整できる。なお、角度調整用ネジ孔９６をスペーサ本体２２の上側に配置すれば、センサ取付角度θをマイナス側に調整できる。
【００６３】
（シム受け５０へのシム３０の弾性力による固定）
次に、図７に示すシム受け５０にシム３０が固定される作用を説明する。以下、下側シム受け７２にシム３０を取り付ける場合について説明する（上側シム受け５２にシム３０を取り付ける場合に同様の作用が生じても良い）。下側シム受け７２にシム３０を取り付けようとすると、シム受け側凹凸部８０またはシム側凹凸部４０が変形して弾性力が生じ、この弾性力により下側シム受け７２にシム３０が固定される。この固定の強さは、下側シム受け７２とシム３０とを締結しなくても、下側シム受け７２からシム３０が容易に外れない（しっかり噛み合う、嵌まり込む）程度の強さである。この固定の強さは、例えば、スペーサ２０を逆さにしても（下側シム受け７２よりもシム３０が下になるようにしても）、下側シム受け７２からシム３０が落下しない強さである。この固定の具体例は次の通りである。下側シム受け７２にシム３０を取り付けると、円柱部８２に係合した環状リブ４２は、径方向（環状の径方向）外側に変形する。円柱部８２は、環状リブ４２から径方向内側向きに弾性力を受ける。この弾性力により、下側シム受け７２にシム３０が固定される。
【００６４】
シム受け５０にシム３０が固定されるようにするための構成や作用は、上記以外のものでも良い。例えば、環状リブ４２を例えば矩形状リブに代えるとともに、円柱部８２を四角柱部に代えても良い。また例えば、シム受け５０に設けたリブ（図示なし）と、シム３０に設けた柱状部（図示なし）と、を係合させても良い。また例えば、円柱部８２（柱状部）の外周に環状リブ４２（リブ）が係合することに代えて、孔（図示なし）の内周にリブを係合させても良い。また例えば、大穴８４および小穴８６と、大突起４４および小突起４６との係合により生じる弾性力により上記固定が行われても良い。
【００６５】
（センサ取付角度θの調整）
次に、センサ取付角度θの調整について説明する。
【００６６】
（シム３０を用いない場合）
図３（ｃ）に示すように、シム３０を用いずに、センサ本体１０をスペーサ２０に固定する場合の詳細は次のとおりである。図４（ａ）に示すセンサ本体１０のスペーサ取付ブラケット１４の孔１４ｂと、上側シム受け５２のネジ孔５４と、にネジＢ１が差し込まれて締結される。図３（ｃ）に示すように、ネジＢ１の頭部はセンサ本体１０側、ネジＢ１の軸部はスペーサ２０側に配置される。ネジＢ１の頭部とスペーサ取付ブラケット１４との間にワッシャ９４が挟まれる。上記締結により、センサ本体１０とスペーサ２０とが固定される。この場合（シム３０を用いない場合）、センサ取付角度θは、例えば７°である。この場合のセンサ取付角度θは、センサ取付角度θとしてよく用いられる角度に設定しておくことが好ましい（シム３０を用いずに調整が済む場合が増えるため）。
【００６７】
（シム３０を用いてプラス側へ調整する場合）
図３（ａ）および（ｂ）に示すように、シム３０を用いて、センサ取付角度θをプラス側に調整する場合の詳細は次の通りである。図６に示す調整角度用のシム３０（同じ種類の２つのシム３０）が、スペーサ本体２２から取り外される。残りのシム３０はスペーサ本体２２から取り外す必要はない。取り外された２つのシム３０は、２か所（左右）の下側シム受け７２に取り付けられ、弾性力により固定される。さらに詳しくは、図７に示すように、シム３０の環状リブ４２は下側シム受け７２の円柱部８２外周、大突起４４は大穴８４、小突起４６は小穴８６にそれぞれ係合される（嵌め込まれる、差し込まれる）。図４（ａ）に示すように、センサ本体１０とスペーサ２０とが重ね合わされると、シム３０の傾斜面３６と、センサ本体１０のスペーサ取付面１２とが沿うように（平行に）接触する。スペーサ取付ブラケット１４の孔１４ｂと、上側シム受け５２のネジ孔５４にネジＢ１が差し込まれ、締結される。ネジＢ１にはワッシャ９４が用いられる。上記締結により、センサ本体１０とスペーサ２０とが固定される。これにより、図３（ａ）及び（ｂ）に示すように、センサ取付角度θがプラス側に調整されて、検知エリアＡ（図１参照）がドア反対側Ａ２（図１参照）に調整される。具体的には、±１°〜±５°用（１°間隔）のシム３０をスペーサ２０が備える場合、センサ取付角度θを８°〜１２°（１°間隔）に調整できる。
【００６８】
（シム３０を用いてマイナス側へ調整する場合）
図３（ｄ）及び（ｅ）に示すように、シム３０を用いて、センサ取付角度θをマイナス側に調整する場合の詳細は次のとおりである。図６に示す調整角度用のシム３０（同じ種類の２つのシム３０）が、スペーサ本体２２から取り外される。２つのシム３０は、２か所（左右）の上側シム受け５２に取り付けられる。さらに詳しくは、図７に示すように、シム３０は、センサ取付角度θをプラス側へ調整する場合とは上下逆向きに、上側シム受け５２に取り付けられる。具体的には、シム３０の環状リブ４２は上側シム受け５２の円柱部６２の外周に、大突起４４は大穴６４に、小突起４６は小穴６６に係合される。図４（ｂ）に示すように、センサ本体１０とスペーサ２０とが重ね合わされると、シム３０の傾斜面３６と、センサ本体１０のスペーサ取付面１２とが沿うように接触する。スペーサ取付ブラケット１４の孔１４ｂと、シム３０の孔３４と、上側シム受け５２のネジ孔５４と、にネジＢ１が差し込まれ、締結される。ネジＢ１がスペーサ本体２２の裏面２２ｂから突出しない場合はワッシャ９４（図４（ａ）参照）は用いなくても良い。上記締結により、センサ本体１０とスペーサ２０とが固定される。これにより、図３（ｄ）及び（ｅ）に示すように、センサ取付角度θがマイナス側に調整されて、検知エリアＡ（図１参照）がドア側Ａ１（図１参照）に調整される。具体的には、±１°〜±５°用（１°間隔）のシム３０をスペーサ２０が備える場合、センサ取付角度θを６°〜２°（１°間隔）に調整できる。
【００６９】
（角度調整用ネジＢ２による角度調整）
図４（ａ）に示すように、センサ取付角度θをプラス側に微調整する場合には、角度調整用ネジＢ２が用いられる。例えば、センサ取付角度θを１°刻みに調整する際はシム３０が用いられ、１°未満の微調整をする際は角度調整用ネジＢ２が用いられる。
【００７０】
（効果１）
次に、自動ドアセンサ１およびスペーサ２０による効果を説明する。
図４（ａ）に示すように、スペーサ２０は、センサ本体１０とセンサ被取付面Ｆとの間に挟むためのものである。スペーサ２０は、板状のスペーサ本体２２を備える。
【００７１】
図６に示すように、スペーサ２０は、スペーサ本体２２から取り外し自在にスペーサ本体２２に取り付けられたシム３０を備える。
スペーサ本体２２にシム３０が取り付けられているので、シム３０をなくしにくい。特に、工事現場などの暗い場所でこの効果は有利である。
【００７２】
スペーサ２０は、スペーサ本体２２に形成されるとともにシム３０を取り付け可能に形成されたシム受け５０を備える。図４（ａ）及び（ｂ）に示すように、シム受け５０は、スペーサ本体２２の厚さ方向にスペーサ本体２２からシム３０が突出するように、シム３０を取り付け可能に形成される。
この構成では、シム受け５０にシム３０を取り付けるとともに、スペーサ本体２２にセンサ本体１０を取り付けると、シム３０を取り付けた位置でのスペーサ本体２２とセンサ本体１０との間隔が広がる。よって、スペーサ本体２２に対するセンサ本体１０の角度を調整でき、その結果、センサ取付角度θ（図３（ａ）〜（ｅ）参照）を調整できる。その結果、自動ドアセンサ１の検知エリアＡ（図１参照）を調整できる。
また、上記構成により、簡素な構成で、かつ、容易な作業で、確実にセンサ取付角度θおよび検知エリアＡを調整できる。
【００７３】
図６に示すように、シム受け５０は、スペーサ本体２２の厚さ方向に直交する方向における一側（上側）および他側（下側）に配置された上側シム受け５２および下側シム受け７２を備える。
図４（ａ）及び（ｂ）に示すように、この構成では、上側シム受け５２にシム３０を取り付けた場合と、下側シム受け７２にシム３０を取り付けた場合とで、センサ取付角度θの調整の向きを異ならせることができる。
具体的には、上記「一側」を上側、上記「他側」を下側とした場合は次の効果がある。図４（ａ）に示すように、下側シム受け７２にシム３０を取り付けた場合は、センサ取付角度θをプラス側に調整できる。図４（ｂ）に示すように、上側シム受け５２にシム３０を取り付けた場合は、センサ取付角度θをマイナス側に調整できる。その結果、図１に示す自動ドアセンサ１の検知エリアＡを、ドア側Ａ１およびドア反対側Ａ２の両側に調整できる。
【００７４】
（効果２）
図７に示すように、シム３０は、シム本体３２と、シム本体３２に形成された凹部または凸部であるシム側凹凸部４０と、を備える。シム受け５０は、シム側凹凸部４０に係合可能に形成された凹部または凸部であるシム受け側凹凸部６０（８０）を備える。
この構成により、シム受け５０に対するシム３０の位置決めが容易となる。
【００７５】
（効果３）
図８（ｂ）に示すように、シム３０は、シム本体３２に形成された傾斜面３６を備える。
よって、図４（ａ）及び（ｂ）に示すように、センサ本体１０のスペーサ取付面１２に傾斜面３６を沿わせて接触させることができる。よって、センサ本体１０がスペーサ２０に対してがたつきにくくなり、センサ本体１０とスペーサ２０とを固定する作業を容易にすることができる。
ここで、センサ本体１０のスペーサ取付面１２に傾斜面３６が適切に沿うようにするためには、シム受け５０に対してシム３０を適切な向きで取り付ける必要がある。
【００７６】
図７に示すように、シム側凹凸部４０は、大突起４４と、大突起４４とは異なる形状の小突起４６と、を備える。シム受け側凹凸部６０（８０）は、大突起４４に係合可能に形成された大穴６４（８４）と、小突起４６に係合可能に形成されるとともに大穴６４（８４）とは異なる形状の小穴６６（８６）と、を備える。
この構成により、シム受け５０に対するシム３０の取り付け方向の誤りを防止できる。よって、図４（ａ）及び（ｂ）に示すように、センサ本体１０のスペーサ取付面１２に傾斜面３６が沿うように、傾斜面３６の向き（シム受け５０に対するシム３０の向き）を適切に設定できる。特に、工事現場などの暗い所では、傾斜面３６の傾斜角度を判別しにくいおそれがあるところ、上記構成では、傾斜面３６の傾斜角度を直接判別できなくても、傾斜面３６の向きを適切に設定できる。
【００７７】
（効果４）
図７に示すように、スペーサ本体２２の厚さ方向から見たとき、上側シム受け５２のシム受け側凹凸部６０は、下側シム受け７２のシム受け側凹凸部８０の形状を１８０°回転させた形状と対応するように形成される。
この構成により、上側シム受け５２に係合する１つのシム３０を、１８０°回転させれば、このシム３０は下側シム受け７２に係合可能となる。すなわち、１つのシム３０を、上下両側のシム受け５０に対応させることができる。よって、上側シム受け５２用のシム３０と、下側シム受け７２用のシム３０とを設ける必要が無い。よって、シム３０の数を減らせる、または、シム３０の種類（調整角度の種類）を増やしたときのシム３０の数の増大を抑制できる。
【００７８】
（効果５）
図４（ａ）に示すように、スペーサ２０は、スペーサ本体２２から突出するフード９２を備える。フード９２がスペーサ本体２２に対して突出する向きは、スペーサ本体２２から、シム受け５０に取り付けられたシム３０へ向かう向き（裏面２２ｂからセンサ取付面２２ｆへ向かう向き）である。
ここで、シム受け５０にシム３０を取り付けると、スペーサ本体２２とセンサ本体１０との間に隙間Ｓができる。センサ被取付面Ｆに対する自動ドアセンサ１の取り付け方向や、センサ取付角度θによっては、この隙間Ｓが通行者から見える場合がある。上記構成では、フード９２によりこの隙間Ｓを見えにくくできる。具体的には例えば、図１に示すように自動ドアセンサ１を無目Ｆ１に取り付けるとともに、図４（ａ）に示すように下側シム受け７２にシム３０を取りつけた場合、自動ドアセンサ１を下から見上げると隙間Ｓが見えやすくなる。この場合、フード９２をスペーサ本体２２の下端に設けることで、隙間Ｓを見えにくくできる。
【００７９】
（効果６）
図７に示すように、スペーサ２０は、スペーサ本体２２から取り外し自在にスペーサ本体２２に取り付けられたワッシャ９４を備える。
ワッシャ９４がスペーサ本体２２に取り付けられるので、ワッシャ９４をなくしにくくできる。特に、工事現場などの暗い場所でこの効果は有利である。
【００８０】
図４（ａ）に示すように、ワッシャ９４は、スペーサ本体２２とセンサ本体１０とを固定するネジＢ１に対応するように形成される。
ネジＢ１にワッシャ９４を用いれば、長いネジＢ１であっても、スペーサ本体２２の裏面２２ｂからセンサ被取付面ＦにネジＢ１が突出しないようにできる。よって、センサ取付角度θに応じた複数種類の長さのネジＢ１を用意する必要が無い。その結果、複数種の長さのネジＢ１から適切な長さのネジＢ１を選択するといった煩雑な作業をなくすことができる。
具体的には、図４（ｂ）に示すように上側シム受け５２に厚いシム３０を取り付ける場合に適切な長さのネジＢ１を「長いネジＢ１」とする。ワッシャ９４を取り付けた「長いネジＢ１」は、図３（ａ）及び（ｂ）に示すように下側シム受け７２にシム３０を取り付ける場合、図３（ｃ）に示すようにシム３０を用いない場合、図３（ｄ）に示すように上側シム受け５２に薄いシム３０を取り付ける場合にも、用いることができる。
【００８１】
（効果７）
図４（ａ）に示すように、スペーサ２０は、スペーサ本体２２に形成されるとともにスペーサ本体２２の厚さ方向に貫通する角度調整用ネジ孔９６を備える。
角度調整用ネジ孔９６に角度調整用ネジＢ２を取り付け、角度調整用ネジＢ２をスペーサ本体２２の裏面２２ｂからセンサ被取付面Ｆに突出させれば、センサ被取付面Ｆとスペーサ本体２２との間に隙間をあけることができる。よって、センサ取付角度θを調整でき、検知エリアＡ（図１参照）を調整できる。
【００８２】
（効果８）
図２に示すように、自動ドアセンサ１は、スペーサ２０と、スペーサ２０に取り付けられたセンサ本体１０と、を備える。
この自動ドアセンサ１は、上記の効果１〜７の効果を実現できる。
【００８３】
（変形例）
上記の実施形態は様々に変更できる。すなわち上記実施形態は、いわゆる無目付けタイプのセンサに適用した例を示したが、これに限られず、いわゆる無目下に取り付けられるタイプのセンサであっても良い。この場合、スペーサ２０を含め各構成要素が上述した作用機能を実現できるように、上記実施形態を適宜変更する。
【００８４】
図３（ａ）〜（ｅ）に示すように、上記実施形態では、シム３０により調整可能なセンサ取付角度θを２°〜１２°としたが、調整可能なセンサ取付角度θは様々に設定できる。例えば、センサ取付角度θを０°未満として、図１に示す検知エリアＡを自動ドアＤよりもドア側Ａ１側に調整できるようにしても良い。
【符号の説明】
【００８５】
１    自動ドアセンサ
１０  センサ本体
２０  スペーサ
２２  スペーサ本体
３０  シム
３２  シム本体
３６  傾斜面
４０  シム側凹凸部
４４  大突起（第１シム側凹凸部）
４６  小突起（第２シム側凹凸部）
５０  シム受け
５２  上側シム受け（一側シム受け）
６０、８０  シム受け側凹凸部
６４、８４  大穴（第１シム受け側凹凸部）
６６、８６  小穴（第２シム受け側凹凸部）
７２  下側シム受け（他側シム受け）
９２  フード
９４  ワッシャ
９６  角度調整用ネジ孔
Ｂ１  ネジ（締結部材）
Ｂ２  角度調整用ネジ
Ｆ    センサ被取付面
【図１】
2013190225.tif 000003
【図２】
2013190225.tif 000004
【図３】
2013190225.tif 000005
【図４】
2013190225.tif 000006
【図５】
2013190225.tif 000007
【図６】
2013190225.tif 000008
【図７】
2013190225.tif 000009
【図８】
2013190225.tif 000010